(57)【要約】【課題】紙材を節約できる包装箱の紙材を提供することを目的とする。【解決手段】紙材２０を第１の主板部２１、第１の側板部２２、第２の主板部２３、第２の側板部２４、のり代部２５の順に第１の谷線Ｖ１、第２の谷線Ｖ２、第３の谷線Ｖ３、第４の谷線Ｖ４で区切り、第２の主板部２３の両側部に包装箱の側壁部となる切起し部３０を形成する。切起し部３０は、第２の谷線Ｖ２に沿う第１の切込線３１、第１の切込線３１の終端部から第１の側板部２２へ進入する第２の切込線３２、第２の谷線Ｖ２と平行な第３の切込線３３、第１の側板部２２と第２の主板部２３と第２の側板部２４を横切る第４の切込線３４、第３の谷線Ｖ３に平行な第５の切込線３５、第５の切込線３５の終端部から第３の谷線Ｖ３へ伸びる第６の切込線３６、第３の谷線Ｖ３に沿う第７の切込み線３７から成る。【選択図】図１
2012035855.tif 000002
【特許請求の範囲】
【請求項１】
紙材を第１の主板部、第１の側板部、第２の主板部、第２の側板部、のり代部の順に第１の谷線、第２の谷線、第３の谷線、第４の谷線で区切り、且つ第２の主板部の両側部に包装箱の側壁部となる切起し部を設けたことを特徴とする包装箱の紙材。
【請求項２】
紙材を第１の主板部、第１の側板部、第２の主板部、第２の側板部、のり代部の順に第１の谷線、第２の谷線、第３の谷線、第４の谷線で区切り、且つ第２の主板部の両側部に包装箱の側壁部となる切起し部を形成して成り、この切起し部は、第２の谷線に沿って形成された第１の切込線と、第１の切込線の終端部から第１の側板部へ進入する第２の切込線と、第２の谷線と平行な第３の切込線と、第１の側板部と第２の主板部と第２の側板部を横切る第４の切込線と、第３の谷線に平行な第５の切込線と、第５の切込線の終端部から第３の谷線へ伸びる第６の切込線と、第３の谷線に沿って形成された第７の切込み線とから成ることを特徴とする包装箱の紙材。
【請求項３】
紙材を第１の主板部、第１の側板部、第２の主板部、第２の側板部、のり代部の順に第１の谷線、第２の谷線、第３の谷線、第４の谷線で区切り、且つ第１の主板部と第２の主板部の両側部に互いの先端部同士が結合されて側壁部となる切起し部を設けたことを特徴とする包装箱の紙材。
【請求項４】
前記切起し部を形成する切込線が略Ｕ字形であることを特徴とする請求項３記載の包装箱の紙材。
【発明の詳細な説明】
【技術分野】
【０００１】
本発明は、缶、ビン等の被包装物を包装する包装箱の紙材に関するものである。
【背景技術】
【０００２】
例えばビール缶は、一般に６本（半ダース）単位で紙製のパックで包装されており、また４パック（６本×４＝２４本）ずつ大型の包装箱に収納されて市場を流通する。
【０００３】
図１３は、従来の大型の包装箱の平面図（包装箱の紙材の展開図）、図１４は同ビール缶６本入りの紙製のパックを４個収納した包装箱の組立状態の斜視図である。図１３において、紙材１０は段ボール紙やボール紙などの厚手の横長の紙から成っている。紙材１０は、第１の主板部１１、第１の側板部１２、第２の主板部１３、第２の側板部１４、のり代部１５から成っている。またそれぞれの両側部には、折り曲げ部１１ａ、１２ａ、１３ａ、１４ａが設けられている。
【０００４】
図１３において、破線で示すＶ１〜Ｖ６は谷線であり、谷線Ｖ１〜Ｖ６に沿ってそれぞれ９０°折り曲げることにより、図１４に示す包装箱１０が組み立てられる。包装箱１０の内部には、上述したパック１６が４個収納されている。図１３において第１の主板部１１の端部（影線を付している）は、のり代部１５上に接着材により接着される。また各折り曲げ部１１ａ、１２ａ、１３ａ、１４ａは内方へ９０°折り曲げられて、包装箱１０の側壁部となる。図１３中の符号(1)、(2)、(3)、(4)については後述する。
【発明の概要】
【発明が解決しようとする課題】
【０００５】
紙資源は森林資源であり、紙材の節約の必要性はコスト面や環境面から広く認知されている。しかしながら上記従来の包装箱には無駄部分が多く、それだけ紙を無駄に消費し、コストアップにもなっていた。
【０００６】
そこで本発明は、紙材を節約できる包装箱の紙材を提供することを目的とする。
【課題を解決するための手段】
【０００７】
請求項１に記載の包装箱の紙材は、紙材を第１の主板部、第１の側板部、第２の主板部、第２の側板部、のり代部の順に第１の谷線、第２の谷線、第３の谷線、第４の谷線で区切り、且つ第２の主板部の両側部に包装箱の側壁部となる切起し部を設けた。
【０００８】
請求項２に記載の包装箱の紙材は、紙材を第１の主板部、第１の側板部、第２の主板部、第２の側板部、のり代部の順に第１の谷線、第２の谷線、第３の谷線、第４の谷線で区切り、且つ第２の主板部の両側部に包装箱の側壁部となる切起し部を形成して成り、この切起し部は、第２の谷線に沿って形成された第１の切込線と、第１の切込線の終端部から第１の側板部へ進入する第２の切込線と、第２の谷線と平行な第３の切込線と、第１の側板部と第２の主板部と第２の側板部を横切る第４の切込線と、第３の谷線に平行な第５の切込線と、第５の切込線の終端部から第３の谷線へ伸びる第６の切込線と、第３の谷線に沿って形成された第７の切込み線とから成る。
【０００９】
請求項３に記載の包装箱の紙材は、紙材を第１の主板部、第１の側板部、第２の主板部、第２の側板部、のり代部の順に第１の谷線、第２の谷線、第３の谷線、第４の谷線で区切り、且つ第１の主板部と第２の主板部の両側部に互いの先端部同士が結合されて側壁部となる切起し部を設けた。
【００１０】
請求項４に記載の包装箱の紙材は、前記切起し部を形成する切込線が略Ｕ字形である。
【発明の効果】
【００１１】
本発明によれば、より小さい紙材によって包装箱を組み立てることができる。
【図面の簡単な説明】
【００１２】
【図１】（ａ）本発明の実施の形態１における包装箱の紙材の平面図（ｂ）同Ａ−Ａ断面図
【図２】（ａ）本発明の実施の形態１における包装箱の紙材の平面図（ｂ）同Ｂ−Ｂ断面図
【図３】（ａ）本発明の実施の形態１における包装箱の紙材の平面図（ｂ）同Ｃ−Ｃ断面図
【図４】本発明の実施の形態１における包装箱の組立状態の部分斜視図
【図５】本発明の実施の形態１における包装箱の組立状態の部分平断面図
【図６】本発明の実施の形態１における包装箱の組立状態の部分断面図
【図７】本発明の実施の形態１における包装箱の組立状態の側面図
【図８】本発明の実施の形態１における包装箱の組立状態の斜視図
【図９】（ａ）本発明の実施の形態２における包装箱の紙材の平面図（ｂ）同Ｄ−Ｄ断面図
【図１０】（ａ）本発明の実施の形態２における包装箱の紙材の平面図（ｂ）同Ｅ−Ｅ断面図
【図１１】本発明の実施の形態２における包装箱の組立中の部分断面図
【図１２】本発明の実施の形態２における包装箱の組立状態の斜視図
【図１３】従来の包装箱の紙材の平面図
【図１４】従来の包装箱の組立状態の斜視図
【発明を実施するための形態】
【００１３】
（実施の形態１）
図１〜図３は紙材の平面図を組立順に示している。図１（ａ）において、包装箱の紙材２０は、横長（図１（ａ）では縦長）の矩形であって、段ボール紙やボール紙のような厚手の丈夫な紙から成っている。図中、(1)、(2)、(3)、(4)の位置は図１３に示す従来の紙材１０の(1)、(2)、(3)、(4)の位置に対応しており、したがってこの紙材２０は、従来の紙材２０の折り曲げ部１１ａ、１２ａ、１３ａ、１４ａに相当する部分が不要であり、それだけ面積の小さい紙材で図１４に示す従来の包装箱１０と同体積の包装箱２０（図８）を組立てることができる。
【００１４】
図１（ａ）において、紙材２０は、第１の谷線Ｖ１、第２の谷線Ｖ２、第３の谷線Ｖ３、第４の谷線Ｖ４により第１の主板部２１、第１の側板部２２、第２の主板部２３、第２の側板部２４、のり代部２５に順に区切られている。第１の主板部２１の縁部（ハッチングを付している）は、図７及び図８に示す組立状態において、のり代部２５の上面に接着剤で接着される。
【００１５】
図１（ａ）において、第２の主板部２３の両側部には、点Ａ、Ｂ、Ｃ、Ｄ、Ｅ、Ｆ、Ｇ、Ｈを結ぶ切込線３１〜３７が形成されており、これらの点Ａ−Ｂ−Ｃ−Ｄ−Ｅ−Ｆ−Ｇ−Ｈ−Ａで包囲された部分（網かけをしている部分）は切起し部３０になっている。切込線の始点である点Ａは、紙材２０の側縁部近くの第２の谷線Ｖ２上にある。
【００１６】
点Ａ、Ｂを結ぶ第１の切込線３１は第２の谷線Ｖ２に沿って形成されている。点Ｂ、Ｃを結ぶ第２の切込線３２は、第１の切込線３１の終端部である点Ｂから第１の側板部２２へ進入している。点Ｃ、Ｄを結ぶ第３の切込線３３は第２の谷線Ｖ２と平行である。点Ｄ、Ｅを結ぶ第４の切込線３４は、第１の側板部２２と第２の主板部２３と第２の側板部２４を横切っている。点Ｅ、Ｆを結ぶ第５の切込線３５は第３の谷線Ｖ３と平行である。点Ｆ、Ｇを結ぶ第６の切込線３６は、第５の切込線３５の終端部である点Ｆから第３の谷線Ｖ３へ伸びている。第６の切込線３６の終端部である点Ｇと点Ｈを結ぶ第７の切込線３７は、第３の谷線Ｖ３に沿って形成されている。切込線の終点である点Ｈは、紙材２０の側縁部近くの第３の谷線Ｖ３上にある。以下、図８に示す包装箱２０の組立方法を説明する。
【００１７】
図１（ａ）において、まず、点Ａ、Ｈを結ぶ第５の谷線Ｖ５から切起し部（網かけをしている部分）３０を外方へ１８０°折り曲げる（図１（ｂ）の矢印Ｎ１及び鎖線で示す切起し部３０を参照）。図２（ａ）（ｂ）は、折り曲げた状態を示している。図中、３０’は切起し部３０を外方へ折り曲げたために第２の主板部２３及び両側板部２２、２４の一部に生じた空所（穴）である。
【００１８】
次に、紙材２０の両側縁部よりも外方（側方）へ切起し部３０が突出する部分（Ｃ−Ｄ−Ｅ−Ｆ−Ｃで包囲される部分であって、網かけをしている部分）を第６の谷線Ｖ６（紙材２０の両側縁部上であって、点Ｉ、Ｊを結ぶ線）に沿って内方へ１８０°折り曲げる（図２（ｂ）の矢印Ｎ２を参照）。図３（ａ）（ｂ）は折り曲げた状態を示している。
【００１９】
第６の谷線Ｖ６に沿って前述した折り曲げをしたことにより、図３（ａ）において、第２の主板部２３の両側部には、切起し部３０が下段部（図２（ａ）において、Ａ−Ｈ−Ｊ−Ｉ−Ａで包囲された部分）３０１と上段部（図２（ａ）において、Ｃ−Ｄ−Ｅ−Ｆ−Ｃで包囲された部分。網かけをしている部分）３０２の二重に折り曲げられて重なっている。図２（ａ）及び図３（ａ）において、点Ｉは第２の谷線Ｖ２の左右の終点であり、点Ｊは第３の谷線Ｖ３の左右の終点である。
【００２０】
次に、図３（ａ）において、点Ｃ、Ｄ、Ｉ及び点Ｅ、Ｆ、Ｊで包囲された直角二等辺三角形の部分（網かけをしている部分）の上段部３０２の下面を第１の側板部２２の上面に接着剤により接着する。
【００２１】
次に、図３（ａ）において、第１の主板部２１、第１の側板部２２、第２の主板部２３、第２の側板部２４、のり代部２５を第１〜第４の谷線Ｖ１〜Ｖ４に沿ってそれぞれ９０°内方へ折り曲げる。この折り曲げ時において、図３（ａ）におけるＤ−Ｉを結ぶ線及びＥ−Ｊを結ぶ線を谷線Ｖ１０とし、またＩ−Ｉ’を結ぶ線及びＪ−Ｊ’を結ぶ線を山線Ｍ１０として折り曲げ、且つ上述したように第１の主板部２１の縁部をのり代部２５に貼着すれば、図８に示す包装箱２０が出来上る。図３（ａ）において、Ｉ’は、左右のＩ−Ｉを結ぶ線がＤ−Ｅを結ぶ線と交差する点である。またＪ’は、左右のＪ−Ｊを結ぶ線がＤ−Ｅを結ぶ線と交差する点である。
【００２２】
図４、図５、図６は、上記のように谷線Ｖ１０と山線Ｍ１０に沿って折り曲げて包装箱２０を組立てた状態での部分斜視図、部分平断面図、部分側断面図をそれぞれ示すものであり、図７は組立状態における包装箱２０の側面図を示すものである。図７において、１６は半ダースのビール缶が包装されたパックである。
【００２３】
本実施の形態１では、図１（ａ）に示すように点Ａ−Ｂ−Ｃ−Ｄ−Ｅ−Ｆ−Ｇ−Ｈを結ぶ第１〜第７の切込線３１〜３７を入れ、これにより形成された切起し部３０を上述した手順により折り曲げて、図７及び図８に示す側壁部３０２を形成しており、これにより図１３に示す従来例の折り曲げ部１１ａ〜１４ａを不要にしている。
【００２４】
（実施の形態２）
図９は、本発明の実施の形態２の紙材の平面図である。紙材５０は横長（図９（ａ）では縦長）の矩形であって、第１〜４の谷線Ｖ１〜Ｖ４により第１の主板部５１、第１の側板部５２、第２の主板部５３、第２の側板部５４、のり代部５５に順に区切られている。第１の主板部５１の縁部（ハッチングを付している）は、図１２に示す組立状態において、のり代部５５の上面に接着剤で接着される。図中、(1)、(2)、(3)、(4)の位置は図１３に示す従来の紙材１０の(1)、(2)、(3)、(4)の位置に対応しており、したがってこの紙材５０も、従来の紙材１０の折り曲げ部１１ａ、１２ａ、１３ａ、１４ａに相当する部分が不要である。
【００２５】
第１の主板部５１と第２の主板部５３の両側部には、点Ａ、Ｂ、Ｃ、Ｄ、Ｅ、Ｆを結ぶ切込線６１、６２、６３、６４、６５が形成されており、点Ａ−Ｂ−Ｃ−Ｄ−Ｅ−Ｆ−Ａで包囲された部分（網かけをしている部分）は切起し部６０になっている。図９（ａ）において、点Ａ、Ｂを結ぶ第１の切込線６１と点Ｅ、Ｆを結ぶ第５の切込線６５は、紙材５０の上縁部及び下縁部と平行であり、点Ｃ、Ｄを結ぶ第３の切込線６３は両側縁部と平行であり、点Ｂ、Ｃ及び点Ｄ、Ｅを結ぶ第２の切込線６２と第４の切込線６４は斜方向となっている。したがって、切起し部６０を形成する切込線６１〜６５は全体として略Ｕ字形となっている。次に、図１２に示す包装箱５０の組立方法を説明する。
【００２６】
図９（ａ）において、点Ａ−Ｆを結ぶ第５の谷線Ｖ５から切起し部６０を下方へ１８０°折り曲げる（図９（ｂ）の矢印Ｎ１及び鎖線で示す切起し部６０を参照）。図１０は、その状態を示すものであって、６０’は、切起し部６０をこのように折り曲げたことにより主板部５１、５３に生じた空所（穴）である。
【００２７】
次に、切起し部６０を紙材５０の縁部から直立する方向へ９０°折り曲げ（図１０（ｂ）及び図１１の矢印Ｎ２を参照）、且つ第１の主板部５１、第１の側板部５２、第２の主板部５３、第２の側板部５４、のり代部５５を９０°内方へ折り曲げれば、図１２に示す包装箱５０は完成する。この包装箱５０に上記パック１６等を収納し、図１１に示すように上側の切抜き部６０と下側の切抜き部６０の互いの先端部同士を接着剤ａにより接着して結合し、切抜き部６０を側壁部とする。
【産業上の利用可能性】
【００２８】
本発明によれば、より小さい紙材によって包装箱を組み立てることができるので、殊に缶、ビン等の被包装物を包装する包装箱の紙材として有用である。
【符号の説明】
【００２９】
２０、５０  紙材
２１、５１  第１の主板部
２２、５２  第１の側板部
２３、５３  第２の主板部
２４、５４  第２の側板部
２５、５５  のり代部
３０、６０  切起し部
Ｖ１  第１の谷線
Ｖ２  第２の谷線
Ｖ３  第３の谷線
Ｖ４  第４の谷線
Ｖ５  第５の谷線
Ｖ６  第６の谷線
【図１】
2012035855.tif 000003
【図２】
2012035855.tif 000004
【図３】
2012035855.tif 000005
【図４】
2012035855.tif 000006
【図５】
2012035855.tif 000007
【図６】
2012035855.tif 000008
【図７】
2012035855.tif 000009
【図８】
2012035855.tif 000010
【図９】
2012035855.tif 000011
【図１０】
2012035855.tif 000012
【図１１】
2012035855.tif 000013
【図１２】
2012035855.tif 000014
【図１３】
2012035855.tif 000015
【図１４】
2012035855.tif 000016